(57)【要約】【課題】  妨害波が存在する環境下であっても良好な受信状態を得られる「受信機及び利得調整方法」を提供する。【解決手段】  入力信号を増幅するＲＦ増幅器３と、ＲＦ増幅器３が出力する信号のレベルに応じたＡＧＣ電圧をＲＦ増幅器３に出力してＲＦ増幅器３の利得を調整するＲＦ＿ＡＧＣ回路１３と、ＲＦ＿ＡＧＣ回路１３による増幅後の信号を用いて希望チャネルの信号の電界強度をＳメータ電圧として検出する電界強度検出回路９と、ＡＧＣ電圧とＳメータ電圧とに応じてＲＦ＿ＡＧＣ回路１３を制御することにより、ＡＧＣ電圧を最適化する制御部１１とを有して構成される。【選択図】        図１
2005159834.tif 000002
【特許請求の範囲】
【請求項１】
入力信号を増幅する増幅器と、
前記増幅器が出力する信号のレベルに応じた制御信号を前記増幅器に出力して前記増幅器の利得を調整する自動利得調整回路と、
前記増幅器による増幅後の信号を用いて所望周波数での電界強度を検出する電界強度検出回路と、
前記制御信号と前記電界強度とに応じて前記自動利得調整回路を制御することにより、前記制御信号を最適化する制御手段と、
を有することを特徴とする受信機。
【請求項２】
前記制御手段は、前記制御信号及び前記電界強度の値をそれぞれのしきい値と比較し、比較結果に応じて前記制御信号の電圧値を変化させることを特徴とする請求項１記載の受信機。
【請求項３】
前記自動利得調整回路は設定値に応じた前記制御信号を出力し、
前記制御手段は、前記制御信号と前記電界強度とに応じて前記設定値を変化させることを特徴とする請求項１記載の受信機。
【請求項４】
前記制御手段は、所定期間における前記制御信号と前記電界強度との状態に基づき前記制御信号を最適化することを特徴とする請求項１から３のいずれか一項記載の受信機。
【請求項５】
入力信号を増幅する増幅器から出力される信号のレベルに応じた制御信号を前記増幅器に出力して、前記増幅器の利得を調整する工程と、
前記増幅器による増幅後の信号を用いて所望周波数の信号の電界強度を検出する工程と、
前記増幅器に入力される前記制御信号と前記電界強度とに応じて前記制御信号を最適化する工程と、
を有することを特徴とする利得調整方法。
【発明の詳細な説明】
【技術分野】
【０００１】
本発明は、受信機及び利得調整方法に関し、特に受信した電波の信号レベルに応じて増幅器の利得を制御するＡＧＣ(Automatic Gain Control)回路を備えた受信機及びその利得調整方法に関する。
【背景技術】
【０００２】
従来の一般的な受信機としてＦＭ受信機１００の構成を図５に示す。図５に示す従来のＦＭ受信機１００は、アンテナ１０１、ＲＦ(Radio Frequency)増幅器１０２、第１バンドパスフィルタ１０３、ミキサ１０４、局部発振回路１０５、第２バンドパスフィルタ１０６、ＩＦ(Intermediate Frequency)増幅器１０７、電界強度検出器１０８、ＦＭ検波回路１０９、ＲＦ＿ＡＧＣ回路１１０等を備えている。
【０００３】
アンテナ１０１で受信されたＦＭ信号は、まずＲＦ増幅器１０２で増幅され、第１バンドパスフィルタ１０３で希望チャネルの信号を含む帯域の信号だけが取り出される。この希望チャネルの信号を含む帯域の信号は、ミキサ１０４で局部発振回路１０５から出力される局部発振信号と混合されて、１０．７ＭＨｚの中間周波数を中心とする信号に変換される。
【０００４】
ミキサ１０４から出力された信号は、第２バンドパスフィルタ１０６で希望チャネルの信号だけが取り出され、ＩＦ増幅器１０７で増幅される。ＩＦ増幅器１０７から出力される信号はＦＭ検波回路１０９でＦＭ検波して音声信号として出力される。
【０００５】
また、ＲＦ＿ＡＧＣ回路１１０は、ＲＦ増幅器１０２の出力信号と、第１バンドパスフィルタ１０３の出力信号とを入力して、ＲＦ増幅器１０２から出力される信号の信号レベルを検出する。検出した信号レベルに応じて、ＲＦ増幅器１０２の利得を調整可能なＡＧＣ電圧をＲＦ増幅器１０２に出力する。すなわち、ＲＦ＿ＡＧＣ回路１１０は、アンテナ１０１から受信した電波の信号レベルが所定レベルよりも大きくなると、ＲＦ増幅器１０２の利得を下げ、入力電波の信号レベルを減衰させる。
【０００６】
また、電界強度検出回路１０８は、ＩＦ増幅器１０７によって増幅された希望チャネルの信号の電界強度を検出する。電界強度検出回路１０８からは、希望チャネルの信号の電界強度に対応した電圧信号（以下、Ｓメータ電圧という）がＲＦ＿ＡＧＣ回路１１０に出力される。
【０００７】
希望チャネルの周波数と周波数が近接する妨害局が近くにあり、妨害電波の電界強度が希望チャネルの電界強度よりも強い場合を例に、電界強度検出回路１０８とＲＦ＿ＡＧＣ回路１１０について説明する。
【０００８】
受信した希望チャネルの電波が妨害局からの電波よりも著しく小さい場合、希望局からの電波が受信不能になってしまう。このような事態を改善するため、電界強度検出回路１０８で希望チャネルの電波に対応したＳメータ電圧を検出して、ＲＦ＿ＡＧＣ回路１１０に入力する。ＲＦ＿ＡＧＣ回路１１０は、このＳメータ電圧の値によりＲＦ増幅器１０２の利得を制御している。
【０００９】
Ｓメータ電圧の測定結果により希望チャネルの電波が小さく、ＲＦ増幅器１０２の出力する信号レベル自体が高い場合（妨害波の信号レベルが高い）には、ＲＦ＿ＡＧＣ回路１１０によりＡＧＣ動作が行われ、ＲＦ増幅器１０２の利得を下げる制御が行われる。
【００１０】
しかしながらＲＦ増幅器１０２の利得を下げるだけでは、希望チャネルの信号レベルまで弱めてしまい、ユーザの希望した放送を聞くことができないという問題が生じる。
【００１１】
妨害局からの電波を受信する環境下において、ＡＧＣ回路の動作により受信機の感度が抑圧される問題を解決する技術として、特許文献１が知られている。特許文献１では受信回路にアッテネータとＦＥＴとを設け、入力信号のレベルに応じてＦＥＴとアッテネータの動作順序を制御部により制御している。
【００１２】
【特許文献１】特開２００１−１６８７４７号公報
【発明の開示】
【発明が解決しようとする課題】
【００１３】
しかしながら特許文献１では受信回路にアッテネータとＦＥＴとを設けて、２段階の制御を行っているため構成が複雑になる。
【００１４】
本発明は上記事情に鑑みてなされたものであり、妨害波が存在する環境下であっても、より簡単な構成で良好な受信状態を得ることができる受信機及び利得調整方法を提供することを目的とする。
【課題を解決するための手段】
【００１５】
かかる目的を達成するために本発明の受信機は、入力信号を増幅する増幅器と、前記増幅器が出力する信号のレベルに応じた制御信号を前記増幅器に出力して前記増幅器の利得を調整する自動利得調整回路と、前記増幅器による増幅後の信号を用いて所望周波数での電界強度を検出する電界強度検出回路と、前記制御信号と前記電界強度とに応じて前記自動利得調整回路を制御することにより、前記制御信号を最適化する制御手段と、を有することを特徴としている。
【００１６】
電界強度検出回路により検出された電界強度と、自動利得調整回路からの制御信号とに応じて自動利得調整回路を制御し、制御信号を最適化している。従って、電界強度と制御信号とに応じて自動利得調整回路を制御するという簡易な構成で増幅器の利得を最適に調整して、所望周波数の信号を良好に受信することができる。
【００１７】
上記構成の受信機において、前記制御手段は、前記制御信号及び前記電界強度の値をそれぞれのしきい値と比較し、比較結果に応じて前記制御信号の電圧値を変化させるとよい。
【００１８】
制御信号及び電界強度の値をそれぞれのしきい値と比較することで制御信号および電界強度を判定し、判定結果に応じた電圧値の制御信号を生成している。従って、制御信号及び電界強度の値に応じて制御信号の電圧値を最適な値とすることができる。また、この制御信号を増幅器に入力することで所望周波数の信号を良好に受信することができる。
【００１９】
上記構成の受信機において、前記自動利得調整回路は設定値に応じた前記制御信号を出力し、前記制御手段は、前記制御信号と前記電界強度とに応じて前記設定値を変化させるとよい。
【００２０】
制御手段は、制御信号と電界強度とに応じて設定値を変化させ、自動利得調整回路は、設定値の変化に応じた制御信号を生成して増幅器に出力している。従って、増幅器の利得を制御する制御信号の値を、制御信号と電界強度とに応じた値とすることができる。
【００２１】
上記構成の受信機において、前記制御手段は、所定期間における前記制御信号と前記電界強度との状態に基づき前記制御信号を最適化するとよい。
【００２２】
所定期間における制御信号と電界強度との状態に基づいて制御信号を最適化している。従って瞬間的に発生したノイズなどの影響を軽減して、所望周波数の信号を良好に受信することができる。
【００２３】
本発明の利得制御方法は、入力信号を増幅する増幅器から出力される信号のレベルに応じた制御信号を前記増幅器に出力して、前記増幅器の利得を調整する工程と、前記増幅器による増幅後の信号を用いて所望周波数の信号の電界強度を検出する工程と、前記増幅器に入力される前記制御信号と前記電界強度とに応じて前記制御信号を最適化する工程と、を有することを特徴としている。
【００２４】
電界強度検出回路により検出された電界強度と、増幅器から出力される信号の信号レベルに応じて生成された制御信号とに応じて制御信号を最適化し、最適化した制御信号を増幅器に入力している。従って、電界強度と制御信号とに応じて制御信号を最適化するという簡易な手順で、増幅器の利得を最適に調整して、所望周波数の信号を良好に受信することができる。
【発明の効果】
【００２５】
本発明は、妨害局からの電波の影響を受けても、増幅器の利得を最適化することで所望周波数の信号を良好に受信することができる。
【発明を実施するための最良の形態】
【００２６】
次に、添付図面を参照しながら本発明の最良の実施例を説明する。
【実施例１】
【００２７】
図１に本発明をＦＭ受信機に適用した実施例を示す。図１に示されるように本実施例のＦＭ受信機１は、アンテナ２と、ＲＦ増幅器３と、第１バンドパスフィルタ４と、ミキサ５と、局部発振回路６と、第２バンドパスフィルタ７と、ＩＦ増幅器８と、電界強度検出回路９と、ＦＭ検波回路１０と、制御部１１と、メモリ部１２と、ＲＦ＿ＡＧＣ回路１３とを備えている。
【００２８】
ＲＦ増幅器３は、アンテナ２を介して受信したＲＦ信号を増幅する。
【００２９】
第１バンドパスフィルタ４は、ＲＦ増幅器３により増幅されたＲＦ信号から希望チャネルの信号を含む帯域の信号だけを選択的に取り出す。
【００３０】
ミキサ５は、第１バンドパスフィルタ４の出力信号を入力して、この信号と局部発振回路６からの局部発振信号とをミックス（混合）し、予め決められたＩＦ周波数（例えば１０．７ＭＨｚ）の信号を生成する。
【００３１】
第２バンドパスフィルタ７は、ミキサ５から出力されるＩＦ周波数の信号から希望チャネルの信号だけを選択的に通過させる。
【００３２】
ＩＦ増幅器８は、第２バンドパスフィルタ７により出力される希望チャネルの信号を増幅する。
【００３３】
ＦＭ検波回路１０は、ＩＦ増幅器８により増幅された希望チャネルの信号をＦＭ検波し音声信号を取り出す。
【００３４】
電界強度検出回路９は、ＩＦ増幅器８の出力信号に基づいて希望チャネルの信号の電界強度を検出する。電界強度検出回路９からは、希望チャネルの信号の電界強度に対応した電圧信号（以下、Ｓメータ電圧という）が出力される。このＳメータ電圧値は、制御部１１に出力される。
【００３５】
ＲＦ＿ＡＧＣ回路１３は、ＲＦ増幅器３の出力信号と、第１バンドパスフィルタ４の出力信号とを入力して、ＲＦ増幅器３から出力される信号の信号レベルを検出する。検出した信号レベルに応じて、ＲＦ増幅器３の利得を調整可能なＡＧＣ電圧をＲＦ増幅器３と制御部１１とに出力する。ここで、ＡＧＣ電圧とＲＦ増幅器３の利得について説明すると、ＡＧＣ電圧の値を小さく設定することでＲＦ増幅器３の利得を大きくすることができ、逆にＡＧＣ電圧の値を大きく設定するＲＦ増幅器３の利得を小さくすることができる。
【００３６】
制御部１１は、マイクロコンピュータ等からなり、電界強度検出回路９によって検出されるＳメータ電圧値と、ＲＦ＿ＡＧＣ回路１３からのＡＧＣ電圧とを用いてＲＦ＿ＡＧＣ回路１３を制御する。制御部１１は、ＲＦ＿ＡＧＣ回路１３にＡＧＣ設定信号を入力してＲＦ＿ＡＧＣ回路１３を制御する。このＡＧＣ設定信号の電圧値は離散的な値を取り、ＡＧＣ設定信号の電圧値を大きく設定することでＲＦ＿ＡＧＣ回路１３の出力であるＡＧＣ電圧の値を小さくすることができる。またＡＧＣ設定信号の電圧値を小さくすることでＲＦ＿ＡＧＣ回路１３の出力であるＡＧＣ電圧の値を大きくすることができる。本実施例ではＡＧＣ設定信号の電圧値６，９，１２ｍＶの３種類が用意されている。
【００３７】
メモリ部１２は、ＥＥＰＲＯＭ(Electrically Erasable Programmable Read-Only Memory)などの不揮発性メモリからなり、制御部１１の使用する判定しきい値が記録されている。
【００３８】
本実施例は、ＲＦ＿ＡＧＣ回路１３から出力されるＡＧＣ電圧の値と、電界強度検出回路９から出力されるＳメータ電圧の値をパラメータとして、これらの値によってＲＦ＿ＡＧＣ回路１３を制御することで、ＲＦ増幅器３の利得を最適に制御する。
【００３９】
ＲＦ＿ＡＧＣ回路１３から出力されたＡＧＣ電圧と、電界強度検出回路９から出力されたＳメータ電圧とが所定範囲内にあるか否かを判定するためのしきい値が設けられている。Ｓメータ電圧には、Ｓメータ電圧の上限値を規定するＳメータ用の上限しきい値（以下、Ｓ上限しきい値と略記する）２０と、Ｓメータ電圧の下限値を規定するＳメータ用の下限しきい値（以下、Ｓ下限しきい値と略記する）２１とが設定されている。本実施例ではＳ上限しきい値２０として１．７５８Ｖが設定され、Ｓ下限しきい値２１として１．５６３が設定されている。ＡＧＣ電圧にも同様に、ＡＧＣ電圧の上限値を規定するＡＧＣ電圧用の上限しきい値（以下、ＡＧＣ上限しきい値と略記する）２２と、ＡＧＣ電圧の下限値を規定するＡＧＣ電圧用の下限しきい値（以下、ＡＧＣ下限しきい値と略記する）２３とが設定されている。本実施例ではＡＧＣ上限しきい値２２として０．４３Ｖが設定され、ＡＧＣ下限しきい値２３として０．３１３Ｖが設定されている。これらの値は、メモリ部１２に記録されている。なお、この判定しきい値は、あくまでも一例であって、受信機に応じて変更することができる。
【００４０】
電界強度検出回路９から出力されるＳメータ電圧の値が、Ｓ上限しきい値２０とＳ下限しきい値２１との間にあるときには（例えば、図２に示すＴ２のとき）、制御部１１はＳメータ電圧は正常範囲内の値であると判定し制御を行わない。同様にＲＦ＿ＡＧＣ回路１３から出力されるＡＧＣ電圧が、ＡＧＣ上限しきい値２２とＡＧＣ下限しきい値２３との間にあるとき（図２に示すＴ２のとき）にも、制御部１１はＡＧＣ電圧は正常範囲内であると判定し制御を行わない。
【００４１】
しかしながらＳメータ電圧の値が、Ｓ下限しきい値２１の値を下回り、かつＡＧＣ電圧の値が、ＡＧＣ上限しきい値２２の値を上回った場合には（図２に示すＴ１）、制御部１１は、異常であると判定して、ＡＧＣ設定信号の電圧値を切り替える。同様に、Ｓメータ電圧の値が、Ｓ上限しきい値２０の値を上回り、かつＡＧＣ電圧の値が、ＡＧＣ下限しきい値２３の値を下回った場合には（図２に示すＴ５）、制御部１１は、異常であると判定して、ＡＧＣ設定信号の電圧値を切り替える。
【００４２】
Ｓメータ電圧の値がＳ下限しきい値２１の値を下回り、かつＡＧＣ電圧の値がＡＧＣ上限しきい値２２の値を上回った場合、希望チャネルの電界強度レベルが小さく、ＲＦ増幅器３の利得も小さいと判定することができる。従って、制御部１１は、ＡＧＣ設定信号の電圧値を大きい値に変更し、ＲＦ増幅器３の利得を上げるように制御する。ただし、ＡＧＣ設定信号の電圧値を切り替える前にすでに最高値に設定されていた場合には、ＡＧＣ設定信号の電圧値は変更しない。
【００４３】
また、Ｓメータ電圧の値がＳ上限しきい値２０の値を上回り、かつＡＧＣ電圧の値がＡＧＣ下限しきい値２３の値を下回った場合、希望チャネルの電界強度レベルが大きく、ＲＦ増幅器３の利得が大きいと判定することができる。従って、制御部１１は、ＡＧＣ設定信号の電圧値を小さい値に変更し、ＲＦ増幅器３の利得を下げるように制御する。ただし、ＡＧＣ設定信号の電圧値を切り替える前にすでに最低値に設定されていた場合には、ＡＧＣ設定信号の電圧値は変更しない。
【００４４】
次に、図２を参照しながら本実施例の動作を説明する。なお、図２にはＳメータ電圧とＡＧＣ電圧との時間による推移が示されている。移動などによって希望チャネルの信号の電界強度レベルが低下してくると、この電界強度レベルの低下を電界強度検出回路９のＳメータ電圧によって検出する。ＲＦ＿ＡＧＣ回路１３はＳメータ電圧の値が低下してきたのでＡＧＣ電圧の値を上げ、ＲＦ増幅器３の利得を小さく制御する。
【００４５】
ここで図２に示すＴ１になると、Ｓメータ電圧の値がＳ下限しきい値２１を下回り、ＡＧＣ電圧の値がＡＧＣ上限しきい値２２の値を上回ったため、制御部１１はＡＧＣ設定信号の電圧値を上げる。例えば、６ｍＶから９ｍＶに変更する。ＡＧＣ設定信号の電圧値を上げたことでＲＦ増幅器３の利得が上がる。従って、希望チャネルの信号レベルも上がるためＳメータ電圧の値も上がり、ＡＧＣ電圧は下がる（Ｔ２）。
【００４６】
Ｔ３で再度、Ｓメータ電圧の値がＳ下限しきい値２１を下回り、ＡＧＣ電圧の値がＡＧＣ上限しきい値２２の値を上回ったため、制御部１１はＡＧＣ設定信号の電圧値を上げる。今回は、９ｍＶから１２ｍＶに変更する。
【００４７】
ＡＧＣ設定信号の電圧値を上げたことでＲＦ増幅器３の利得が上がる。そして、希望チャネルの信号レベルが徐々に上がりＳメータ電圧の値も上がり、ＡＧＣ電圧の値は下がる。
【００４８】
図２に示すＴ５において、Ｓメータ電圧の値がＳ上限しきい値２０を上回り、ＡＧＣ電圧の値がＡＧＣ下限しきい値２３の値を下回ったため、制御部１１はＡＧＣ設定信号の電圧値を下げる。前回設定した１２ｍＶから９ｍＶに変更する。
【００４９】
このようにして本実施例は、Ｓメータ電圧とＡＧＣ電圧の値により、ＲＦ増幅器３の利得を最適に設定して、希望チャネルの信号を良好に受信することができる。
【００５０】
制御部１１の動作手順を図３に示すフローチャートを参照しながら説明する。制御部１１は、電界強度検出回路９より希望チャネルの信号のＳメータ電圧を入力すると共に、ＲＦ＿ＡＧＣ回路１３よりＡＧＣ電圧を入力して、所定間隔毎にこれらの平均値を求める（ステップＳ１）。所定期間におけるＡＧＣ電圧とＳメータ電圧との状態に応じてＡＧＣ電圧を最適化することで、瞬間的に発生したノイズなどの影響を軽減することができる。
【００５１】
平均値を求めると、求めたＳメータ電圧とＡＧＣ電圧とをそれぞれの判定しきい値と比較する（ステップＳ２）。まず、算出したＳメータ電圧の平均値が、Ｓメータ電圧のＳ下限しきい値２１よりも小さいか否かを比較する（ステップＳ３）。Ｓメータ電圧の平均値が、Ｓ下限しきい値２１よりも小さい場合には（ステップＳ３／ＹＥＳ）、次にＡＧＣ電圧の平均値がＡＧＣ電圧のＡＧＣ上限しきい値２２よりも大きいか否かを判定する。ＡＧＣ電圧の平均値が、ＡＧＣ上限しきい値２２よりも大きい場合には（ステップＳ４／ＹＥＳ）、ＡＧＣ設定信号の設定値が最大値になっていない場合に（ステップＳ５／ＮＯ）、ＡＧＣ設定信号の設定値を一つ大きなＡＧＣ設定値に変更する（ステップＳ６）。
【００５２】
Ｓメータ電圧の平均値が、Ｓメータ電圧のＳ下限しきい値２１よりも大きい場合（ステップＳ３／ＮＯ）、またはＡＧＣ電圧の平均値が、ＡＧＣ電圧のＡＧＣ上限しきい値２２よりも小さい場合には（ステップＳ４ＮＯ）、次の判定ステップに進む。このステップでは、まず、Ｓメータ電圧の平均値が、Ｓメータ電圧のＳ上限しきい値２０よりも大きいか否かを比較する（ステップＳ７）。Ｓメータ電圧の平均値が、Ｓ上限しきい値２０よりも大きい場合には（ステップＳ７／ＹＥＳ）、次にＡＧＣ電圧の平均値がＡＧＣ電圧のＡＧＣ下限しきい値２３よりも小さいか否かを判定する。ＡＧＣ電圧の平均値が、ＡＧＣ下限しきい値２３よりも小さい場合には（ステップＳ８／ＹＥＳ）、ＡＧＣ設定信号の設定値が最小値になっていない場合に（ステップＳ９／ＮＯ）、ＡＧＣ設定信号の設定値を一つ小さなＡＧＣ設定値に変更する（ステップＳ１０）。
【００５３】
Ｓメータ電圧の平均値が、Ｓメータ電圧のＳ上限しきい値２０よりも小さい場合（ステップＳ７／ＮＯ）、またはＡＧＣ電圧の平均値が、ＡＧＣ電圧のＡＧＣ下限しきい値２３よりも大きい場合には（ステップＳ８ＮＯ）、希望局から所望レベルで電波を受信していると判定する。
【００５４】
図４に受信局を固定して、妨害局からの電波の信号レベルを上げていった時のＳメータ電圧の値とＦＭ受信機１の出力を示す。
【００５５】
図４に示すグラフの左側にはＳメータ電圧の値（ｄＢｕＶ）が示され、右側にはＦＭ受信機１の出力（ｄＢ）が示されている。また、図４の左から右に行くに従って妨害局の電界強度レベル（ｄＢｕＶ）が高くなっている。
【００５６】
まず、制御部１１による本実施例の制御を行っていない場合について説明する。図４に示す折れ線５０は、制御部１１による制御動作を行っていない場合のＳメータ電圧の値を示し、折れ線５１は、制御部１１による動作を行っていない場合のＦＭ受信機の出力を示す。図４に示されるようにＳメータ電圧の値が下がってくると、ＲＦ＿ＡＧＣ回路１３のＡＧＣ機能によりＲＦ増幅器３の利得が下げられる。ＲＦ＿ＡＧＣ回路１３によるＲＦ増幅器３の利得制御により、図４に示されるようにＦＭ受信機１の出力自体も急激に低下する。
【００５７】
これに対して、本実施例について説明すると、図４に示す折れ線５２は、制御部１１による制御動作を行っている場合のＳメータ電圧の値を示し、折れ線５３は、制御部１１による動作を行っている場合のＦＭ受信機の出力を示す。Ｓメータ電圧の値が低下して、Ｓ下限しきい値２１を下回り、ＲＦ＿ＡＧＣ回路１３のＡＧＣ電圧の値が、ＡＧＣ上限しきい値２２を上回ると、制御部１１の制御により、ＡＧＣ設定信号の電圧値を大きな値に変更する。これにより上述した制御を行っていない場合と比較して、ＦＭ受信機１の出力の急激な落ち込みを防止している。従って、希望チャネルの信号レベルを良好に保つことができる。
【００５８】
なお、上述した実施例は本発明の好適な実施例である。但し、これに限定されることはなく、本発明の要旨を逸脱しない範囲内において種々変形実施可能である。例えば、上述した実施例ではＦＭ受信機を例として挙げているが、ＡＭ受信機であってもよい。
【図面の簡単な説明】
【００５９】
【図１】ＦＭ受信機１の構成を示すブロック図である。
【図２】判定しきい値を用いて制御部１１によりＡＧＣ電圧を制御した場合と、制御していない場合のＳメータ電圧とＡＧＣ電圧との変化を示す図である。
【図３】制御部１１の動作手順を示すフローチャートである。
【図４】受信局を固定して、妨害局からの電波の信号レベルを上げていった時のＳメータ電圧の値とＦＭ受信機の出力を示す図である。
【図５】従来のＦＭ受信機１００の構成を示すブロック図である。
【符号の説明】
【００６０】
１  ＦＭ受信機                      ２  アンテナ
３  ＲＦ増幅器                      ４  第１バンドパスフィルタ
５  ミキサ                          ６  局部発振回路
７  第２バンドパスフィルタ          ８  ＩＦ増幅器
９  電界強度検出回路                １０  ＦＭ検波回路
１１  制御部                        １２  メモリ部
１３  ＲＦ＿ＡＧＣ回路
【図１】
2005159834.tif 000003
【図２】
2005159834.tif 000004
【図３】
2005159834.tif 000005
【図４】
2005159834.tif 000006
【図５】
2005159834.tif 000007